(57)【要約】【課題】  複数の圧迫板で囲んだ領域の中で果実を肥大させる成型栽培装置において、果実が領域内で一杯に肥大した後も、圧迫板で囲んだ領域を広げ、さらに肥大させて果実を完熟させる。【解決手段】  成型栽培装置の圧迫板の外周を開放状態にして、果実に対向する面の裏面を複数の支持部品で支え、支持部品を果実から遠ざける方向に移動して圧迫板で囲んだ領域を広げる。【選択図】図１
2009072175.tif 000002
【特許請求の範囲】
【請求項１】
少なくとも２個以上の圧迫板を備え、圧迫板で囲んだ領域の中で果実を肥大させる成型栽培装置において、圧迫板の外周を開放状態にして、果実に対向する面の裏面を複数の支持部品で支え、支持部品を果実から遠ざける方向に移動して圧迫板で囲んだ領域を広げることができる成型栽培装置。
【請求項２】
成型栽培装置の四隅に支柱を立て、支持部品を支柱で保持するとともに、圧迫板に複数の穴を開け、その穴に上板、または下板、または上板と下板の両方の支持部品を貫通させて、上板、または下板、または上板と下板の両方を保持する、１項記載の成型栽培装置。
【請求項３】
上板を保持する支持部品の長さは、長くても圧迫板を保持する支持部品の長さより短いことを特徴とする、１項または２項記載の成型栽培装置。
【請求項４】
図形を切りぬいた透明な板を圧迫板と果実の表面の間に差し込んで果実を肥大させる、１項または２項または３項記載の成型栽培装置。
【発明の詳細な説明】
【技術分野】
【０００１】  本発明は、スイカ等の果実を六面体状などに成型して栽培する果実の成型栽培装置に関する。
【背景技術】
【０００２】  従来の果実の成型栽培装置は、例えば特許文献１の図１のように、果実を六面体の容器で覆い容器内で肥大させていた。特許文献１の図１では、２個の枠体に取り付けた１枚の底板、４枚の側板、２枚の天板によって内部に空間を有する容器を形成し、果実を容器内で肥大させ容器の内壁に沿った形状に果実の表面を造形していた。
【特許文献１】特許第３５８３３８６号の図１
【発明の開示】
【発明が解決しようとする課題】
【０００３】  特許文献１の図１では底板や側板や天板は枠体に取り付けていて、内部の空間を枠体の大きさ以上に広げることは不可能な構造である。このため、もし果実が肥大して果実の表面が内壁に沿った形状になり造形が完了したなら、果実がまだ完熟していなくても果実のつるを切り果実を容器から取り出す必要があった。もし造形が完了し果実が容器内に一杯に肥大したまま果実を容器内に放置すると、果実はさらに肥大しようとして容器内で圧迫され果肉が傷み腐敗する場合があった。このため、完熟した造形済の果実を得るためには造形が完了する時期と完熟する時期が同じでなくてはならず、両方の時期とも人為的に操作できないため完熟した造形済の果実を得ることは難しかった。
【課題を解決するための手段】
【０００４】  上記課題を解決するため本発明は、少なくとも２個以上の圧迫板を備え、圧迫板で囲んだ領域の中で果実を肥大させる成型栽培装置において、圧迫板の外周を開放状態にして、果実に対向する面の裏面を複数の支持部品で支え、支持部品を果実から遠ざける方向に移動して圧迫板で囲んだ領域を広げることができる成型栽培装置である。【０００５】  また、上記課題を解決するため本発明は、成型栽培装置の四隅に支柱を立て、支持部品を支柱で保持するとともに、圧迫板に複数の穴を開け、その穴に上板、または下板、または上板と下板の両方の支持部品を貫通させて、上板、または下板、または上板と下板の両方を保持する、上記記載の成型栽培装置である。【０００６】  また、上記課題を解決し作業を容易にするため、本発明は、上板を保持する支持部品の長さは、長くても圧迫板を保持する支持部品の長さより短いことを特徴とする、上記記載の成型栽培装置である。【０００７】  さらに本発明は、図形を切りぬいた透明な板を圧迫板と果実の表面の間に差し込んで果実を肥大させる、上記記載の成型栽培装置である。
【発明の効果】
【０００８】  本発明では、圧迫板を支える支持部品を果実から遠ざける方向に移動して、圧迫板で囲んだ領域を広げることができるため、もし果実が肥大して果実の表面が圧迫板に沿った形状に造形されても果実がまだ完熟していないと判断した場合は、支持部品を移動して圧迫板で囲んだ領域を広げ、果実の肥大を継続させることができる。果実が広げた領域内で表面が圧迫板に沿った形状でさらに肥大し、果実の表面の色等から完熟したと判断した場合は、つるを切って果実を成型栽培装置から取り出し、完熟し造形された果実を得ることができる。【０００９】  また、果実の完熟を目的とせず、果実を観賞用に栽培する場合は、果実が肥大して果実の表面が圧迫板に沿った形状に造形されても、支持部品を移動して圧迫板で囲んだ領域を広げ、果実の肥大を継続させる。これによって、収穫時期を遅らせることができる。収穫時期を調整できることは、市場価格の高い時期に出荷することや収穫の労働力の負担の平準化を行える。【００１０】  特許文献１の図１では側板を側板の外周で支える構造であったが、本発明では圧迫板の果実に対向する面の裏面の外周でない内部を複数の支持部品で支える構造なので、同じ面積の板であっても、本発明の圧迫板を支える支点間の間隔は側板を外周で支える場合の支点間の間隔より短くなり、果実の圧力による板の割れが起こりにくい。このため、側板を外周で支える構造に比較して、本発明では圧迫板の厚さを薄くして安価にすることができる。また、同じ厚さの板を使用する場合でも面積をより大きくできる。【００１１】  以下、添付図面を参照しながら、本発明の実施の形態について詳細に説明するが、本発明のきっかけになった観察結果を最初に説明する。【００１２】  黒い平板のような遮光物を果実の表面の一部に密着させ、果実を生育すると、遮光物を密着させて光が届かないよう生育した果実の表面と遮光物で光を遮らないで生育した表面との間に色むらが発生する。しかし、直径６ｍｍの光沢メッキした鉄棒を厚さ３ｍｍの透明な平板の果実に対向する面の裏面に密着させ、この平板の表面を果実に密着させて果実を生育したところ、鉄棒の直下の果実の表面と鉄棒で光を遮らなかった果実の表面の間に色むらは発生しなかった。この理由は、遮光物である鉄棒が透明な平板によって果実の表面から３ｍｍ離れており、鉄棒の直下の果実表面にも透明な平板を通して回り込むように光が届くため、鉄棒で光を遮らなかった果実の表面と同じように色づくためと思われる。【００１３】  この観察から、鉄棒のような遮光物を透明な平板を介して果実の表面に届く光を遮るように密着させて果実を生育しても、果実の表面には色むらのような美観的な影響は現れないことが分かった。【００１４】  さらに、特許文献１の図１では枠体に取り付けた底板や側板や天板で六面体の容器を構成し、この容器で果実の周囲を覆っていた。しかし、六面体の６枚の平板を互いに結合せず、六面体の辺に相当する箇所が約２０ｍｍ開放状態にあるように、６枚の平板を組み立てて、６枚の平板で囲んだ領域のなかで果実を生育し肥大させたところ、ほぼ六面体の果実が造形された。この理由は、六面体の果実といえども果実の表面を直角に生育することはできず、果実の六面���の辺に相当する箇所は２０ｍｍ程度の半径で湾曲しているから、六面体の辺に相当する果実の部分に平板がなくても、ほぼ六面体の果実を造形させることができるのである。【００１５】  この観察から、６枚の平板を平板の外周で互いに結合していなくて、平板の外周が開放状態でも、ほぼ六面体の果実は造形できることが分かった。以上の二つの観察から、平板を平板の周囲で支えないで内部で支えて平板の外周を開放状態にするという方法を発明した。平板の外周を開放状態にすることで、果実の肥大中でも平板を移動させることが可能になった。
【実施例】
【００１６】  実施例の図において、圧迫板や上板は透明なので背後の物体は透けて見えるが、図が煩雑になるのを防ぐため背後に見える像は図示していない。
図１は本発明の第１の実施例で、六面体状の果実を造形する成型栽培装置の斜視図である。第１の実施例は図１の部品と図５の部品で構成される。図２〜図８は図１の成型栽培装置を分解して部品を個別に表示した図と組立てを説明する図である。図１の構成とともに図２〜図８を説明する。【００１７】  図１において１ａ、１ｂ、１ｃ、１ｄは支柱で、１本の支柱に４個の貫通穴を設け、棒状の支持部品２ａ、２ｂ、２ｃ、２ｄと支持部品３ａ、３ｂ、３ｃ、３ｄを貫通穴に通して保持する。支持部品２ａ、２ｂ、２ｃ、２ｄ、３ａ、３ｂ、３ｃ、３ｄは全て同じ径である。支柱に設けた貫通穴の穴径を支持部品の径よりやや大きくし、支持部品が動かないようにナット１４を取り付ける。支柱と支持部品を取り出して図示したのが図２の斜視図である。図２から分かるように支持部品を動かせば支柱で囲まれる四角形の大きさを自由に変化できる。支柱の材質は小さい果実を栽培する場合は木材や樹脂で作り、大きい果実を栽培する場合はより強靭な金属の角棒や角管で作る。支持部品の材質は金属で両端にナットを取り付けるためのネジ山を刻んでいる。なお本発明の実施例の図ではネジ山は全て省略してあり図示していない。【００１８】  図１の４ａ、４ｂ、４ｃ、４ｄは圧迫板で、４枚の圧迫板は全て同一の部品を使用している。圧迫板４ａに４個の連結部７ａ、７ｂ、７ｃ、７ｄを設け、連結部には支持部品２ａ等の径より少し大きい穴を設け、この穴に支持部品を通して圧迫板を保持する。また、圧迫板４ａには支持部品の径より少し大きい穴８を２個開け、後に説明するように穴８に下板５の支持部品または上板６ａと６ｂの支持部品を通して下板５または上板６ａと６ｂを保持する。
圧迫板４ａ、４ｂ、４ｃ、４ｄは果実が肥大するときに加わる圧力に十分耐えるように３ｍｍ〜５ｍｍの厚さの透明な樹脂で作り、連結部７ａ、７ｂ、７ｃ、７ｄを一体成型する。連結部７ａ、７ｂ、７ｃ、７ｄを取り付けた面の反対側の面が果実を圧迫する面となり、果実を圧迫する面は平坦に作る。【００１９】  図１で圧迫板４ａと４ｂは穴８が上側になるように、また果実を圧迫する面が互いに対向するように配置する。圧迫板４ａは、連結部７ａと７ｂの穴に貫通させた支持部品２ａと、連結部７ｃと７ｄの穴に貫通させた支持部品２ｂで保持し、同様に圧迫板４ｂは連結部７ａ、７ｂ、７ｃ、７ｄの穴に貫通させた支持部品２ｃと２ｄで保持する。圧迫板４ｃと４ｄは穴８が下側になるように、また果実を圧迫する面が互いに対向するように配置する。圧迫板４ｃは連結部７ｃと７ｄの穴に貫通させた支持部品３ａと、連結部７ａと７ｂの穴に貫通させた支持部品３ｂで保持し、同様に圧迫板４ｄは連結部７ａ、７ｂ、７ｃ、７ｄの穴に貫通させた支持部品３ｃと３ｄで保持する。【００２０】  図１において、下板５は厚さ約２ｍｍのほぼ正方形の板で材質は金属である。支持部品９ａと９ｂは支持部品２ａ等と同じ径を持つ棒状の金属で、両端にナットを取り付けるためのネジ山を刻んでいる。図３は下板５と支持部品９ａと９ｂの結合方法を説明するために下板５を裏側から見た斜視図である。下板５は４箇所のかしめ用の打ち抜きを行い、切片１０によって図３のように支持部品９ａと９ｂを固定する。図１において下板５の支持部品９ａと９ｂを取り付けた面の反対側の面が果実を支える面となる。果実を支える面を上向きにして、支持部品９ａと９ｂの両端を圧迫板４ｃと４ｄの穴８に貫通させて下板５を圧迫板４ｃと４ｄに取り付ける。図４は下板５を取り付けた後の成型栽培装置の上面図である。穴８の穴径は支持部品９ａと９ｂの径よりやや大きいので、支持部品が動かないようにナットを取り付ける。なお、下板５には支持部品９ａと９ｂを固定するための打ち抜き穴があるが、下板５が支えるのは果実の底面なので、果実の表面が打ち抜き穴で凹凸になっても外観上問題はない。【００２１】  図５は、上板６ａと６ｂと支持部品１２の斜視図である。上板６ａと６ｂは同一の部品である。図５において、上板６ａに２個の連結部１１を設け、連結部１１には支持部品１２の径より少し大きい穴を開け、この穴に支持部品１２を通して上板６ａを保持する。上板６ａと６ｂには果実のつるを通すための半円形の切り欠き１３があり、２枚の上板の切り欠きを突き合わせるように配置してできるほぼ円形の穴につるを通す。上板６ａと６ｂは果実が肥大するときに加わる圧力に十分耐えるように３ｍｍ〜５ｍｍの厚さの透明な樹脂で作り、連結部１１を一体成型する。連結部１１を設けた面の反対側の面が果実を圧迫する面となり、圧迫する面は平坦に作る。支持部品１２は支持部品２ａ等と同じ径を持つ２本の棒状の金属で、両端にナットを取り付けるためのネジ山を刻んでいる。【００２２】  上板６ａと６ｂと支持部品１２を成型栽培装置に組み込むときは、同時に果実も成型栽培装置に収める。その方法を説明すると、支持部品１２を図５のように上板６ａに差し込んだ後、果実のつるを上板���ａの切り欠き１３を通し、果実を圧迫する面が果実の表面に接するように上板６ａを果実の上に置く。次に上板６ｂの切り欠き１３を上板６ａの切り欠き１３に突き合わせる向きに上板６ｂを支持部品１２に差し込む。この状態で、果実を上板６ａと６ｂの下にして、果実と上板６ａと６ｂと支持部品１２を図４のように上面が開いた成型栽培装置に上から収める。その時に圧迫板４ａと４ｂの間隔と圧迫板４ｃと４ｄの間隔が大きく開いていると収める作業が容易になる。
図６は、支持部品２ａ、２ｂ、２ｃ、２ｄと支持部品３ａ、３ｂ、３ｃ、３ｄと支持部品９ａと９ｂを動かして、圧迫板４ａと４ｂの間隔と圧迫板４ｃと４ｄの間隔を大きく開けた、成型栽培装置の上面図である。図６の下には収める前の果実１５と果実のつると上板６ａと６ｂと支持部品１２も図示している。図６で分かるように、支持部品１２の長さが圧迫板４ａと４ｂの間隔より短ければ作業が容易になる。圧迫板４ａと４ｂの間隔は支持部品３ａ、３ｂ、３ｃ、３ｄの長さより少し短いので、支持部品１２の長さは長くても支持部品３ａ、３ｂ、３ｃ、３ｄの長さより短くする。作業を容易にするためには支持部品３ａ、３ｂ、３ｃ、３ｄの長さを十分長くして、余裕をもって果実１５と上板６ａと６ｂと支持部品１２を成型栽培装置に収めるようにするのが好ましい。【００２３】  果実と上板６ａと６ｂと支持部品１２を成型栽培装置に納めたら、支持部品１２の両端を圧迫板４ａと４ｂの穴８に貫通させる。穴８の穴径は支持部品１２の径よりやや大きいので、貫通させた後支持部品１２が動かないようにナット１４を取り付ける。図７と図８は図６の上板６ａと６ｂ等を成型栽培装置に全て納めた後、支持部品２ａ、２ｂ、２ｃ、２ｄと支持部品３ａ、３ｂ、３ｃ、３ｄと支持部品９ａと９ｂと支持部品１２のナット１４を調整して、圧迫板４ａと４ｂの間隔と圧迫板４ｃと４ｄの間隔を目的の造形の大きさに合わせて狭くした成型栽培装置の上面図である。図７は造形の大きさが小さい場合で、図８は造形の大きさが大きい場合である。なお図７と図８には果実は省略して図示していない。【００２４】  図７と図８に示すように、支持部品を移動し、圧迫板４ａと４ｂの間隔と圧迫板４ｃと４ｄの間隔を調整し、造形する六面体の縦と横の寸法を調整できる。六面体の高さを調整する場合は、下板５の上にあらかじめ目的の六面体の高さになるような厚みの樹脂製の板を敷いておきその上に果実を設置する。あるいは図９のように、圧迫板に穴を２個ずつ２列の合計４個設け、上板と下板を保持する支持部品を穴に貫通させる際にどちらかの列を選択して上板と下板の取り付け高さを調整する。【００２５】  造形済の果実を収穫する場合は、果実のつるを切った後に果実を成型栽培装置に収めた手順の逆を行い、成型栽培装置から果実を取り出す。【００２６】  このように本発明では圧迫板４ａ、４ｂ、４ｃ、４ｄの外周を開放状態にして圧迫板の外周を結合していない。このためそれぞれの圧迫板を支える支持部品２ａと２ｂ、２ｃと２ｄ、３ａと３ｂ、３ｃと３ｄを果実から遠ざける方向に移動して、圧迫板で囲んだ領域を広げることができる。このため、果実が肥大して果実の表面が圧迫板に沿った形状に造形されても、圧迫板で囲んだ領域を広げれば果実の肥大を継続させることができる。【００２７】  圧迫板４ａの連結部７ａ、７ｂ、７ｃ、７ｄに設けた穴の径は支持部品２ａと２ｂの径より少し大きいので、圧迫板４ａがずれる可能性がある。このため、止め輪を支持部品２ａと２ｂにはさんで圧迫板４ａのずれを防ぐ。同様に、圧迫板４ｂ、４ｃ、４ｄのずれを防ぐために支持部品２ｃと２ｄと支持部品３ａ、３ｂ、３ｃ、３ｄに止め輪をはさみ、上板６ａと６ｂのずれを防ぐために支持部品��２に止め輪をはさむ。また、ナット１４は蝶ナットを使用すればより組立作業が容易になる。また、圧迫板４の連結部７ａ、７ｂ、７ｃ、７ｄは一体成型で作る方法以外に、たとえばタップネジで突起物を圧迫板４に埋め込み支持部品を保持してもよいし、パイプ状の部品を接着剤やひもで圧迫板４に固定しパイプに支持部品を通して保持してもよい。第１の実施例では一つの圧迫板に連結部を４個設け、２個の支持部品で保持した例であったが、果実の圧力が大きい場合は連結部の数を増すとともに、支持部品の数を増して果実の圧力で部品が壊れないようにする。同様に上板や下板も連結部の数や支持部品の数を増して果実の圧力で部品が壊れないようにする。【００２８】    図１０と図１１は果実が肥大する場合に成型栽培装置に加わる圧力を説明するための模式図である。図１０は成型栽培装置を圧迫板４ａ側から見た模式図で、図１１は成型栽培装置を圧迫板４ｃ側から見た模式図である。【００２９】  図１１の圧迫板４ａを押す果実１６の圧力は、圧迫板４ａに加わり、圧迫板４ａに密着して取り付けられた支持部品２ａと２ｂに加わる。同時に、図１１で分かるようにナット１４を通して支持部品１２にも加わる。支持部品２ａと２ｂに加わる圧力は支柱１ａと１ｄに加わり、最終的にはナット１４を通して支持部品３ａ、３ｂ、３ｃ、３ｄに加わる。図１１から分かるように、圧迫板４ａに加わる圧力を二つの支持部品１２と支持部品２ａと支持部品２ｂの４箇所の支点で受け止めているため、各支点の間の間隔は、圧迫板４ａの縦または横の寸法より短い。同様に、図１０の圧迫板４ｃを押す果実１６の圧力を、支持部品９ａと９ｂと支持部品３ａと支持部品３ｂの４箇所の支点で受け止めているため、各支点の間の間隔は、圧迫板４ｃの縦または横の寸法より短い。
図１０と図１１の下板５を押す果実１６の圧力は、下板５に加わり、下板５に密着して取り付けられた支持部品９ａと９ｂに加わり、圧迫板４ｃと４ｄに加わり、最終的には連結部７ａ、７ｂ、７ｃ、７ｄを通して支持部品３ａ、３ｂ、３ｃ、３ｄに加わる。図１１から分かるように、下板５に加わる圧力を受け止める支持部品９ａと支持部品９ｂの支点の間隔は下板５の縦または横の寸法より短い。
図１０と図１１の上板６ａを押す果実１６の圧力は、上板６ａに加わり、上板６ａに密着して取り付けられた支持部品１２に加わり、圧迫板４ａと４ｂに加わり、最終的には連結部７ａ、７ｂ、７ｃ、７ｄを通して支持部品２ａ、２ｂ、２ｃ、２ｄに加わる。図１０から分かるように、上板６ａに加わる圧力を受け止める支持部品１２の支点の間隔は、上板６ａの縦または横の寸法の長い方の寸法より短い。【００３０】  このように、本発明では、圧迫板や下板や上板の、外周でない内部を複数の支持部品で支える構造なので、支持部品の支点の間隔は、各々の板の縦や横の寸法より短く、これらの板を外周で支える場合の支点間の間隔より短くなり、果実の圧力による板の割れが起こりにくい。【００３１】  次に第２の実施例を図１２で説明する。第２の実施例は円柱状の果実を造形する成型栽培装置で、図１２は第２の実施例の圧迫板１７の斜視図である。第２の実施例の成型栽培装置は、第１の実施例の圧迫板４ａ、４ｂ、４ｃ、４ｄの代わりに圧迫板１７と同じ部品を４個使用し、その他の構成部品は第１の実施例と共通である。
圧迫板１７の内壁は凹凸のない曲面でこの面で果実を圧迫する。圧迫板１７の内壁の曲面を円筒を縦に４分割した形状に成型し、４個の圧迫板１７を円筒状に組み合わせて内部に円柱状の領域を作り、内部で果実を肥大させて円柱状の果実を造形する。圧迫板１７の果実を圧迫する面の裏面には穴を開けた連結部１８を設け、連結部１８の穴に支持部品を通して圧迫板１７を保持する。圧迫板１７の上部には支持部品を通すための穴１９が開けてある。連結部１８の穴に図２の支柱１ａ、１ｂ、１ｃ、１ｄに取り付けられた支持部品２ａ、２ｂ、２ｃ、２ｄと支持部品３ａ、３ｂ、３ｃ、３ｄを通し、第１の実施例の圧迫板４ａ、４ｂ、４ｃ、４ｄと同様に４個の圧迫板１７を保持する。圧迫板１７は透明な樹脂で作り、連結部１８を一体成型する。
下板５の支持部品９ａと９ｂを穴１９に通して下板５を保持し、上板６ａと６ｂの支持部品１２を穴１９に通して上板６ａと６ｂを保持する。下板５で円柱状の果実の底面を造形し、上板６ａと６ｂで円柱状の果実の天面を造形する。上板６ａと６ｂの形状は四角形であるため、造形する果実が大きく、果実が上板からはみ出し円柱状の形状に歪が生じる場合は、上板の形状を半円形に変更する。【００３２】  第２の実施例でも、４個の圧迫板１７の外周を開放状態にして圧迫板の外周を結合していない。このためそれぞれの圧迫板を支える支持部品２ａと２ｂ、２ｃと２ｄ、３ａと３ｂ、３ｃと３ｄを果実から遠ざける方向に移動して、圧迫板で囲んだ領域を広げることができる。このため、果実が肥大して果実の表面が圧迫板に沿った形状に造形されても、圧迫板で囲んだ領域を広げれば、果実の肥大を継続させることができる。【００３３】  次に第３の実施例を説明する。第３の実施例は円柱を横に倒した形状に果実を造形する成型栽培装置で、図１３は第３の実施例の圧迫板２０と横板２１の斜視図である。第３の実施例は下板と上板は用いず、２個の圧迫板２０と２個の横板２１と、第１の実施例の図２の支柱１ａ、１ｂ、１ｃ、１ｄと支持部品２ａ、２ｂ、２ｃ、２ｄと支持部品３ａ、３ｂ、３ｃ、３ｄで構成される。
２個の圧迫板２０は同一の部品で２個の横板２１も同一の部品である。圧迫板２０の内壁は凹凸のない曲面でこの面で果実を圧迫する。圧迫板２０の内壁の曲面は、縦に２分割した円筒を横に倒した形状に成型し、２個の圧迫板２０を組み合わせて内部に円柱を横に倒した形状の領域を作り、内部で果実を肥大させる。果実を圧迫する面の裏面に穴を開けた連結部２２を設け、圧迫板２０の上部には果実のつるを通すための半円状の切り欠きを設ける。圧迫板２０は透明な樹脂で作り、連結部２２を一体成型する。横板２１は平らな板に連結部２３を設け、連結部２３を設けた面の反対側の面で果実を圧迫する。横板２１も透明な樹脂で作り、連結部２３を一体成型する。２個の圧迫板２０の連結部２２の穴に図２の支持部品２ａと２ｂと、支持部品２ｃと２ｄを通し、果実を圧迫する面が対向するように取り付ける。２個の横板２１の連結部２３に支持部品３ａと３ｂと、支持部品３ｃと３ｄを通し、果実を圧迫する面が対向するように取り付ける。圧迫板２０で円柱を横に倒した形状の果実の曲面を造形し、横板２１で果実の平らな側面を造形する。【００３４】  本発明を適用してできる果実の造形は、六面体状や円柱状などにとどまらない。圧迫板や上板や下板や横板を色々な形状に変化し、内壁で作る領域の形状を変えれば任意の形の果実が造形できる。また、果実が重い場合は、第１の実施例のように下板を圧迫板の穴で保持しないで図１４のように下板を支える横支柱２４を２個用いる。横支柱２４の材質は金属の角棒または角管で、側面に下板の支持部品を通すための穴を開ける。図１４の例では、穴は３個開けている。横支柱２４は図１４のように支持部品で支柱に保持され、側面の穴に下板の支持部品を通して下板を保持する。また、上下に生育する圧力が大きい果実の場合はさらに横支柱を追加して上板も横支柱で保持する。第１の実施例では下板を金属の板で作ったが、たとえばスイカのように果実の底面の形状で完熟の状況を判断できる種類もある。そのような果実を成型する場合は果実の底面を見るための穴を下板の中央に開けるか、下板の材料を透明な樹脂にする。【００３５】  その他の適用可能な応用として、第１の実施例の圧迫板と果実の表面の間に図形を切りぬいた透明な樹脂製の板を差し込んで果実を肥大させれば、切りぬいた図形と同じ形状の凸型の図形が果実の表面に造形でき、観賞用としての果実に付加価値を追加できる。第２の実施例のように圧迫板が湾曲している場合は、ＰＥＴ等の軟質樹脂製の図形を切りぬいた板を圧迫板の湾曲に沿って貼り付ける。図形を切りぬいた透明な板を交換すれば、色々な図形を選択でき、汎用的な成型栽培装置にすることができる。【００３６】  本発明の実施例で、必要に応じてナットと支柱の間またはナットと圧迫板の間にスプリングを挿入することが好ましい。スプリングを使用する利点は、スプリングの圧縮の程度を目視で確認し果実の表面に加わっている圧力を推定でき、もし圧力が過大と判断すればナットを緩めて支持部品をずらし、圧力を弱めて果肉が圧力で痛むことを避けることができること、果実が肥大し造形したときに収穫が遅れた場合でも過大な圧力が果実に加わることを避けることができること、成型栽培装置の支柱等の各部に加わる力をできるだけ均等にすることができること、などである。
【図面の簡単な説明】
【００３７】
【図１】成型栽培装置の第１の実施例の斜視図
【図２】第１の実施例の支柱と支持部品を取り出して図示した斜視図
【図３】下板５に支持部品９ａと９ｂを結合した状態で裏側から見た斜視図
【図４】下板５を取り付けた後の成型栽培装置の上面図
【図５】上板６ａと６ｂと支持部品１２の斜視図
【図６】圧迫板の間隔を大きく開けた成型栽培装置の上面図と成型栽培装置に収める前の果実と上板６ａと６ｂの上面図
【図７】造形の大きさが小さい場合の成型栽培装置の上面図
【図８】造形の大きさが大きい場合の成型栽培装置の上面図
【図９】圧迫板の斜視図
【図１０】成型栽培装置を圧迫板４ａ側から見た模式図
【図１１】成型栽培装置を圧迫板４ｃ側から見た模式図
【図１２】成型栽培装置の第２の実施例の圧迫板の斜視図
【図１３】成型栽培装置の第３の実施例の圧迫板と横板の斜視図
【図１４】横支柱を支柱に取り付けた状態の斜視図
【符号の説明】
【００３８】１−−支柱
２、３、９、１２−−支持部品
４、１７、２０−−圧迫板
５−−下板
６−−上板
７、１１、１８、２２、２３−−連結部
８、１９−−穴
１０−−切片
１３−−切り欠き
１４−−ナット
１５、１６−−果実
２１−−横板
２４−−横支柱
【図１】
2009072175.tif 000003
【図２】
2009072175.tif 000004
【図３】
2009072175.tif 000005
【図４】
2009072175.tif 000006
【図５】
2009072175.tif 000007
【図６】
2009072175.tif 000008
【図７】
2009072175.tif 000009
【図８】
2009072175.tif 000010
【図９】
2009072175.tif 000011
【図１０】
2009072175.tif 000012
【図１１】
2009072175.tif 000013
【図１２】
2009072175.tif 000014
【図１３】
2009072175.tif 000015
【図１４】
2009072175.tif 000016